(57)【要約】【課題】背床部を起上させる起伏駆動手段が動作不能なときに、背床部を起上させた状態で保持できるベッド装置を提供することにある。【解決手段】ベッドフレーム５と、ベッドフレームに固定された固定床部１１ｃ及び固定床部に回動可能に連結された背床部１１ａを有してベッドフレームの上面に設けられる床板体１１と、床板体の背床部を起伏駆動する電動式の背上げ用駆動源１２と、背上げ用駆動源によって背床部を起上させることができないときに背床部を所定の角度で起上させた状態で保持する保持手段２２を具備する。【選択図】      図３
2014155523.tif 000002
【特許請求の範囲】
【請求項１】
ベッド本体と、
このベッド本体に固定された固定床部及びこの固定床部に回動可能に連結された可動床部を有して上記ベッド本体の上面に設けられる床板体と、
この床板体の上記可動床部を起伏駆動する電動式の起伏駆動手段と、
上記起伏駆動手段によって上記可動床部を起上させることができないときに上記可動床部を所定の角度で起上させた状態で保持する保持手段と
を具備したことを特徴とするベッド装置。
【請求項２】
上記保持手段は、
一端に上記ベッド本体に係合する第１の係合部材が設けられた第１の棒状部材と、
この第１の棒状部材にスライド可能に設けられ上記第１の棒状部材の他端から突出した先端に、所定の角度で起上させた上記可動床部に係合してこの可動床部を起上状態で保持する第２の係合部材が設けられた第２の棒状部材と、
上記第１の棒状部材に対して上記第２の棒状部材を所定のスライド長さで保持するストッパ手段と
によって構成されていることを特徴とする請求項１記載のベッド装置。
【請求項３】
上記第１の棒状部材は筒状で、上記第２の棒状部材は上記第１の棒状部材にスライド可能に挿入され、上記第１の棒状部材と上記第２の棒状部材には、上記第２の棒状部材を上記第１の棒状部材から突出する方向に所定長さスライドさせたときに互いに対向位置する係合孔が形成されていて、
上記ストッパ手段は、対向位置する一対の上記係合孔に係合するストッパピン、及びこのストッパピンと一体的に設けられこのストッパピンを上記係合孔に係合させたときに上記第１の棒状部材の外周面に弾性的に着脱可能に係合する弾性保持部材を有することを特徴とする請求項２記載のベッド装置。
【請求項４】
上記床板体の上記可動床部は、上記固定床部の一側に回動可能に連結された背床部であることを特徴とする請求項１記載のベッド装置。
【発明の詳細な説明】
【技術分野】
【０００１】
この発明は床板体がベッド本体に固定された固定床部と、この固定床部に回動可能に連結されて起伏駆動される可動床部によって構成されたベッド装置に関する。
【背景技術】
【０００２】
ベッド装置には種々のタイプがあり、その１つとして病院用や身体の不自由な人が利用する背上げ式のベッド装置が知られている。背上げ式のベッド装置はベッド本体を有し、このベッド本体の上面には床板体が設けられ、この床板体の上面にはマットレスが載置される。
【０００３】
上記床板体は、通常、上記ベッド本体に固定して設けられる固定床部、この固定床部の一端側に回動可能に連結される可動床部としての背床部、及び他端側に回動可能に連結される脚床部に分割されて構成されている。
【０００４】
上記ベッド本体には、上記床板体の下面側に上記背床部や脚床部を起伏駆動するための電動式の起伏駆動手段が設けられている。起伏駆動手段の一般的な構造は、駆動モータ及びこの駆動モータによって回動駆動されるローラが設けられたアームを有する。
【０００５】
上記アームは、上記ローラが上記背床部や脚床部の下面に接触するよう上記背床部や脚床部の下面側に配置されている。そして、上記駆動モータが作動して上記アームが上昇方向に駆動されると、倒伏状態にある上記背床部や脚床部の下面が上記ローラに押圧されて起上させられるようになっている。
【先行技術文献】
【特許文献】
【０００６】
【特許文献１】特開２０１２−２４５２６８号公報
【発明の概要】
【発明が解決しようとする課題】
【０００７】
ところで、電動式の起伏駆動手段は停電や駆動モータの故障、或いは駆動モータの動力をアームに伝達する動力伝達機構の故障などによって上記背床部や脚床部を起上させることができなくなるということがある。
【０００８】
しかしながら、ベッド装置を利用した利用者の病状や体調などによっては、停電時或いは駆動モータや動力伝達機構の故障時などであっても、背床部や脚床部を起上させて利用したい場合があり、そのような場合、従来の起床式のベッド装置では背床部や脚床部を起上させて利用することができないということがあり、非常に不便であった。
【０００９】
この発明は停電時や駆動モータが故障した場合などであっても、床板体の可動床部を所定の角度で上昇させて使用することができるようにしたベッド装置を提供することにある。
【課題を解決するための手段】
【００１０】
この発明は、ベッド本体と、
このベッド本体に固定された固定床部及びこの固定床部に回動可能に連結された可動床部を有して上記ベッド本体の上面に設けられる床板体と、
この床板体の上記可動床部を起伏駆動する電動式の起伏駆動手段と、
上記起伏駆動手段によって上記可動床部を起上させることができないときに上記可動床部を所定の角度で起上させた状態で保持する保持手段と
を具備したことを特徴とするベッド装置にある。
【００１１】
上記保持手段は、
一端に上記ベッド本体に係合する第１の係合部材が設けられた第１の棒状部材と、
この第１の棒状部材にスライド可能に設けられ上記第１の棒状部材の他端から突出した先端に、所定の角度で起上させた上記可動床部に係合してこの可動床部を起上状態で保持する第２の係合部材が設けられた第２の棒状部材と、
上記第１の棒状部材に対して上記第２の棒状部材を所定のスライド長さで保持するストッパ手段と
によって構成されていることが好ましい。
【００１２】
上記第１の棒状部材は筒状で、上記第２の棒状部材は上記第１の棒状部材にスライド可能に挿入され、上記第１の棒状部材と上記第２の棒状部材には、上記第２の棒状部材を上記第１の棒状部材から突出する方向に所定長さスライドさせたときに互いに対向位置する係合孔が形成されていて、
上記ストッパ手段は、対向位置する一対の上記係合孔に係合するストッパピン、及びこのストッパピンと一体的に設けられこのストッパピンを上記係合孔に係合させたときに上記第１の棒状部材の外周面に弾性的に着脱可能に係合する弾性保持部材を有することが好ましい。
【００１３】
上記床板体の上記可動床部は、上記固定床部の一側に回動可能に連結された背床部であることが好ましい。
【発明の効果】
【００１４】
この発明によれば、停電時や故障などによって起伏駆動手段を作動させて可動床部を起上させることができない場合、上記可動床部を所定の角度で起上させた状態で保持手段によって保持することができる。
【００１５】
そのため、停電時や起伏駆動手段が故障したときなどであっても、利用者は病状や体調などに応じて可動床部を起上させて使用することができるため、非常に便利である。
【図面の簡単な説明】
【００１６】
【図１】この発明の一実施の形態を示す背床部を背上げ用駆動源によって起上させたベッド装置の正面図。
【図２】図１に示すベッド装置の平面図。
【図３】所定の角度で起上させた背床部を保持手段によって保持した状態を示すベッド装置の正面図。
【図４】（ａ）と（ｂ）は保持手段の第１の棒状部材に対して第２の棒状部材が異なる長さで突出した状態を示す図、（ｃ）は第１の棒状部材と第２の棒状部材に形成された係合孔を示す図。
【図５】第２の棒状部材の先端部分を示す拡大断面図。
【図６】（ａ）はストッパ手段の正面図、（ｂ）は同じく側面図。
【図７】保持手段の第１の棒状部材に設けられた第１の係合部材をベッドフレームに係合させた状態を示す斜視図。
【図８】保持手段の第２の棒状部材に設けられた第２の係合部材を背床部の下面に形成された凹部に係合させる状態を示す斜視図。
【発明を実施するための形態】
【００１７】
以下、この発明の一実施の形態を図面を参照しながら説明する。
【００１８】
図１はこの発明の一実施の形態に係る起床式のベッド装置１を示し、このベッド装置１はベースフレーム２を備えている。このベースフレーム２の四隅部にはキャスタ３が設けられ、このキャスタ３によってベースフレーム２は移動可能になっている。なお、ベースフレーム２の長手方向一端には４つのキャスタ３を同時にロックしたり、ロック状態を解除することができるペダル４が設けられている。
【００１９】
上記ベースフレーム２の上方にはベッド本体としてのベッドフレーム５が設けられ、このベッドフレーム５は長手方向の一端と他端がリンク機構６によって上記ベースフレーム２に連結されている。
【００２０】
左右一対のリンク機構６は連動杆７によって連結されていて、この連動杆７は上記ベッドフレーム５の長手方向の一端部に設けられた昇降用駆動源８によって図１に矢印で示す方向に駆動されるようになっている。それによって、上記ベッドフレーム５は昇降駆動されるようになっている。
【００２１】
上記ベッドフレーム５の上面には床板体１１が載置されている。この床板体１１は背床部１１ａ、腰床部１１ｂ、固定床部１１ｃ、第１の脚床部１１ｄ及び第２の脚床部１１ｅの５つに分割されている。隣り合う各床部は、互いに回動可能に連結され、上記固定床部１１ｃは上記ベッドフレーム５に固定されている。
【００２２】
つまり、固定床部１１ｃの一側に連結された背床部１１ａと腰床部１１ｂ、他側部に連結された第１の脚床部１１ｄと第２の脚床部１１ｅは、それぞれ水平に起伏した状態から起上方向に回動可能となっていて、この実施の形態では上記瀬床部１１ａが可動床部となっている。
【００２３】
図２に示すように、上記ベッドフレーム５の長手方向一端部の下面には起伏駆動手段としての電動式のモータ（図示せず）と駆動機構１２ｆ，１３ｆが一体化された背上げ用駆動源１２と脚上げ用駆動源１３が設けられている。各駆動源１２，１３はモータの回転運動を上記駆動機構１２ｆ，１３ｆによって直線運動に変換して駆動軸１２ａ，１３ａに伝達する。それによって、各駆動軸１２ａ，１３ａは軸方向に進退駆動されるようになっている。各駆動軸１２ａ，１３ａの先端は、図１に示すリンク１２ｃ，１３ｃの一端に連結されている。リンク１２ｃ，１３ｃの他端には回転軸１２ｂ，１３ｂが軸線を各駆動軸１２ａ，１３ａの軸線に対して直交させて連結される。
【００２４】
各回転軸１２ｂ，１３ｂにはそれぞれ一対の第１、第２のアーム１２ｄ，１３ｄ（図１に１つだけ図示）の一端が連結されている。各アーム１２ｄ，１３ｄの他端にはローラ１２ｅ，１３ｅが設けられている。第１のアーム１２ｄのローラ１２ｅは背床部１１ａの下面に転接し、第２のアーム１３ｄのローラ１３ｅは第１の脚上げ床部１１ｄの下面に転接している。
【００２５】
上記背上げ用駆動源１２と脚上げ用駆動源１３が作動して各駆動源１２，１３が前進方向に駆動されると、リンク１２ｃ，１３ｃを介して回転軸１２ｂ，１３ｂが回転駆動される。
【００２６】
それによって、第１のアーム１２ｄと第２のアーム１３ｄが水平に倒伏した状態から起上する方向に駆動されるから、その起上によって各アーム１２ｄ，１３ｄの先端に設けられたローラ１２ｅ，１３ｅが上記背床部１１ａと第１の脚床部１１ｄの下面を押圧し、これら背床部１１ａと第１の脚床部１１ｄを図１に鎖線で示すように上昇させる。上記第１の脚床部１１ｄを起上させると、その起上に第２の脚床部１１ｅが連動するから、第１の脚床部１１ｄと第２の脚床部１１ｅはほぼへの字状に屈曲する。
【００２７】
図１と図２に示すように、上記ベッドフレーム５の長手方向一端と他端の幅方向両端部にはそれぞれ取付け部１６が設けられている。長手方向の一端の一対の取付け部１６には図１に示すようにヘッドボード１７が着脱可能に設けられ、他端の一対の取付け部１４にはフットボード１８が同じく着脱可能に設けられている。
【００２８】
上記ベッドフレーム５の下面の長手方向中央部で、幅方向の一端側寄りには、図１と図２に鎖線で示すコントローラ２１が設けられている。このコントローラ２１には図示しない手元スイッチが接続されている。
【００２９】
上記手元スイッチを操作すれば、上記昇降用駆動源８、背上げ用駆動源１２及び脚上げ用駆動源１３に駆動信号が出力される。つまり、上記昇降用駆動源８、背上げ用駆動源１２及び脚上げ用駆動源１３は上記手元スイッチによって遠隔的に駆動を制御できるようになっている。
【００３０】
停電、或いは上記背上げ用駆動源１２や駆動機構１２ｆが故障して、背上げ用駆動源１２によって駆動軸１３ａを動作させることができなくなると、可動床部としての上記背床部１１ａを起上させることができなくなる。
【００３１】
そのような場合であっても、たとえば利用者が病人で、上半身を起こした姿勢を維持した場合などには、上記背床部１１ａを上記背上げ用駆動源１２によらず、図３に示すように保持手段２２を用いて起上させることができるようになっている。
【００３２】
上記保持手段２２は図４（ａ）〜（ｃ）に示すように第１の棒状部材２３を有する。この第１の棒状部材２３は円筒状であって、一端には断面コ字状の取付け部材２４がピン２５によって回動可能に取付けられている。この取付け部材２４の先端は斜面に形成され、この斜面には断面Ｌ字状の第１の係合部材２６の一辺が固着されている。
【００３３】
上記第１の棒状部材２３の他端は開口していて、その内部には同じく円筒状の第２の棒状部材２７がスライド可能に挿入されている。図５に示すように、上記第２の棒状部材２７の上記第１の棒状部材２３から突出した先端部内にはナット２８が一体的に設けられている。このナット２８にはボルト２９が螺合されている。
【００３４】
上記ボルト２９先端部は上記第２の棒状部材２７の先端開口に設けられた蓋板３０の通孔３０ａから突出し、その突出部は六角部３１に形成されている。この六角部３１の先端にはゴムなどの摩擦抵抗の大きな弾性材料によって円錐台形状に形成された第２の係合部材３２が設けられている。
【００３５】
したがって、上記ボルト２９を上記六角部３１を介してスパナなどで回転させれば、上記第２の係合部材３２を進退させることができるようになっている。つまり、上記第２の棒状部材２７の先端からの上記第２の係合部材３２の突出位置を調整できるようになっている。
【００３６】
図４（ａ）に示すように、上記第１の棒状部材２３の周壁の先端部には径方向に貫通する第１の係合孔２３ａが穿設され、上記第２の棒状部材２７の周壁には径方向に貫通する複数の第２の係合孔２７ａが軸方向に所定間隔で穿設されている。
【００３７】
上記第１の棒状部材２３に対する上記第２の棒状部材２７のスライド位置を調整して上記第１の係合孔２３ａに上記第２の係合孔２７ａを一致させた状態において、上記第２の棒状部材２７は図６（ａ），（ｂ）に示すストッパ手段３５によってスライド不能に保持されるようになっている。
【００３８】
上記ストッパ手段３５は対向位置する上記第１の係合孔２３ａと上記第２の係合孔２７ａに嵌合するストッパピン３６を有する。このストッパピン３６には、合成樹脂からなるＣ字状の弾性保持部材３７が開放端を上記ストッパピン３６の先端方向に向けて一体的に成形されている。
【００３９】
上記ストッパピン３６の後端部には径方向に通孔３８が穿設され、この通孔３８にはリング３９が回転可能に保持されている。このリング３９には合成樹脂製の把手４１が一体性形成されている。
【００４０】
上記ストッパピン３６を、上記第１の棒状部材２３の第１の係合孔２３ａから上記第２の棒状部材２７の第２の係合孔２７ａに挿入するとき、Ｃ字状の上記弾性保持部材３７の開放端は上記第１の棒状部材２３の外周面に当接することで拡開方向に弾性変形し、上記第１の棒状部材２３の外周面に弾性的に係合する。
【００４１】
それによって、上記第２の棒状部材２７が上記第１の棒状部材２３に対してスライド不能に保持されるから、上記ストッパピン３６が上記第１、第２の係合孔２３ａ，２７ａから外れるのが阻止される。
【００４２】
上記ストッパピン３６を上記第１、第２の係合孔２３ａ，２７ａから外すには、上記把手４１を把持してストッパピン３６を引けば、上記弾性保持部材３７が拡開方向に弾性変形して上記第１の棒状部材２３から外れるから、上記ストッパピン３６が上記第１、第２の係合孔２３ａ，２７ａから引き抜かれることになる。なお、上記弾性保持部材３７が上記第１の棒状部材２３に係合した状態において、上記把手４１は邪魔にならないよう上記ストッパピン３６の通孔３８を支点として倒すことができる。
【００４３】
停電になどに上記背床部１１ａ上記瀬上げ用駆動源１２によって起上させることができず、上記保持手段２２によって起上させて保持する場合、以下のようにして行う。まず、上記背床部１１ａの起上角度に応じて第１の棒状部材２３と第２の棒状部材２７とがなす長さ寸法、つまり第１の棒状部材２３からの第２の棒状部材２７の突出長さを設定し、その設定状態で、上記第２の棒状部材２７を上記第１の棒状部材２に対して上記ストッパピン３６によって固定する。
【００４４】
なお、上記第２の棒状部材２７の突出長さによって上記背床部１１ａの保持角度が設定されるから、上記突出長さと保持角度の関係が予め分かるようにしておくと便利である。つまり、上記第２の棒状部材２７の突出長さは、第１の棒状部材２３の第１の係合孔２３ａに、上記第２の棒状部材２７に形成された複数の第２の係合孔２７ａのどれを一致させてストッパピン３６を嵌合させるかによって決まる。したがって、第２の棒状部材２７の各第２の係合孔２７ａの近くに上記背床部１１ａの保持角度を印しておけば、上記背床部１１ａの保持角度を容易に設定することができる。
【００４５】
ついで、上記背床部１１ａを手動で起上方向に回動させたならば、上記第１の棒状部材２２３の一端に設けられた第１の係合部材２６を、図７に示すように上記ベッドフレーム５のヘッドボード１７側の桟７ａに係合させる。ついで、上記第２の棒状部材２７の先端に設けられた第２の係合部材３２を、図８に示すように起上させた背床部１１ａの下面に係合させる。
【００４６】
上記第２の係合部材３２が上記背床部１１ａの下面に対して確実に係合するよう、この実施の形態では上記背床部１１ａをブロー成形する際、子の背床部１１ａの下面に上記第２の係合部材３２が係合する凹部４２が同時に形成されている。
【００４７】
それによって、上記背床部１１ａは図３に示すように所定の長さに設定された上記第１の棒状部材２３と第２の棒状部材２７とがなす長さ寸法に応じた起上角度で保持されることになる。
【００４８】
つまり、背床部１１ａの起上角度は、上記第１の棒状部材２３と第２の棒状部材２７とがなす長さ寸法を設定し、その設定状態でストッパ手段３５のストッパピン３６によって上記第２の棒状部材２７をスライド不能に固定することで設定できる。
【００４９】
したがって、停電、或いは上記背上げ用駆動源１２のモータや駆動機構１２ｆが故障し、上記背上げ用駆動源１２を作動させて駆動軸１３ａを駆動することができない状態であっても、上記保持手段２２を用いて上記背床部１１ａを所定の角度に起上させることができるため、利用者にとって非常に便利である。
【００５０】
なお、上記背床部１１ａの下面に上記第２の係合部材３２が係合する凹部４２を、上記背床部１１ａの長手方向に沿って複数形成しておけば、上記第２の係合部材３２をどの凹部４２に係合させるかによっても、上記背床部１１ａの起上角度を設定することができる。
【００５１】
上記保持手段２２は第１の棒状部材２３、この第１の棒状部材２３にスライド可能に挿入され、ストッパ手段３５によって所定の突出長さで固定される第２の棒状部材２７によって構成されている。
【００５２】
そのため、上記第１の棒状部材２３と第２の棒状部材２７とがなす長さ寸法を設定し、その設定状態で上記ストッパ手段３５によって固定することで、上記保持手段２２により保持される上記背床部１１ａを所望する起上角度とすることができるから、利用者は上記背床部１１ａを好みに応じた角度で起上させて利用することができ、便利であるいということがある。
【００５３】
上記ストッパ手段３５のそのストッパピン３６は、上記第１の棒状部材２３と第２の棒状部材２７とを一致させて位置決めされた第１、第２の係合孔２３ａ，２７ａに単に係合させるだけでなく、第１、第２の係合孔２３ａ，２７ａに係合したストッパピン３６が脱落しないよう、このストッパピン３６と一体成形されて上記第１の棒状部材２３の外周面に弾性的に係合するＣ字状の弾性保持部材３７によって保持される。
【００５４】
そのため、上記ストッパピン３６が上記第１、第２の係合孔２３ａ，２７ａから不用意に外れることがないから、所定の角度で起上した上記背床部１１ａを起上状態で確実に保持することが可能となる。
【００５５】
上記一実施の形態では保持手段の第２の係合部材を背床部の背面に形成された凹部に係合させるようにしたが、上記第２の係合部材はゴムなどの摩擦抵抗の大きな弾性材料によって形成しているため、背床部の背面に直接接触させて上記背床部を保持するようにしてもよい。
【００５６】
また、保持手段の第２の係合部材を、第１の係合部材と同様、Ｌ字状の部材とし、この第１の係合部材と同様の部材を起上させた背床部の先端部に係合させ、この背床部を起上した状態で保持するようにしてもよい。
【００５７】
また、上記一実施の形態では可動床部とし背床部を挙げ、保持手段をこの背床部を所定の角度で起立させて保持する例で説明したが、脚床部に保持手段を適用するようにしてもよい。たとえば、上記一実施の形態では脚床部が２つに分割され、第１の脚床部を起上させると第２の脚床部が連動し、これら２つの脚床部がへの字状に屈曲する構成としたが、脚床部を１つとし、その脚床部を背床部と同様に起上する構成とし、その脚床部を所定の傾斜角度で起上させたならば、保持手段によって保持するようにしてもよい。つまり、可動床部は背床部に限られず、脚床部であってもよい。
【００５８】
また、ベッド装置には床板体を幅方向に３分割し、中央の床部を固定床部とし、この固定床部の幅方向両側にそれぞれ可動床部としての側床部を回動可能に連結し、上記固定床部を幅方向の一方と他方に所定時間毎に傾け、そのとき上記固定床部の傾斜方向下方に位置する上記側床部を上昇方向に起上させことで、仰臥した利用者の身体を幅方向に傾斜させて保持することで、辱瘡を防止するようにしたベッド装置が知れている。
【００５９】
このようにして辱瘡を防止するベッド装置において、上述した構成の保持手段を、上記固定床部の幅方向両側に設けられる上記側床部に適用してもよい。
【符号の説明】
【００６０】
５…ベッドフレーム（ベッド本体）、１１…床板体、１１ａ…背床部（可動床部）、１１ｃ…固定床部、１２…背挙げ用駆動源（背上げ用駆動手段）、２２…保持手段、２３…第１の棒状部材、２６…第１の係合部材、２７…第２の棒状部材、３２…第２の係合部材、３５…ストッパ手段、３６…ストッパピン、３７…弾性保持部材。
【図１】
2014155523.tif 000003
【図２】
2014155523.tif 000004
【図３】
2014155523.tif 000005
【図４】
2014155523.tif 000006
【図５】
2014155523.tif 000007
【図６】
2014155523.tif 000008
【図７】
2014155523.tif 000009
【図８】
2014155523.tif 000010